(57)【要約】【課題】鉛筆サイズで全長にわたり同径のマッサージ棒の一端に、マイナスの自由電子を発生させるゲルマニウム、マイナスイオンを発生させるトルマリン、磁力線を発生させる磁石等を複数埋設して、顔や首筋等の皮膚をマッサージして、表情筋を整え、フェイスラインをケアすることができ、しかもマッサージ棒を天然の檜やチタニウムにすることにより健康によい香りがして精神を安定させたり、金属アレルギーの人でも安全にかつ手軽に使用できて、使い勝手が良好なマッサージ器を提供する。【解決手段】鉛筆サイズで全長にわたり同径のマッサージ棒２の一端２ａに、マイナスの自由電子を発生させるゲルマニウム、マイナスイオンを発生させるトルマリン、磁力線を発生させる磁石等の物質３（３Ａ，３Ｂ）を複数埋設する構成を特徴とする。【選択図】図１
0003149213.tif 000002
【実用新案登録請求の範囲】
【請求項１】
鉛筆と略同一の長さ及び太さを有し全長にわたり同径に形成されたマッサージ棒の一端に、温度、光、電磁波及び水分のいずれかに反応して、マイナスの自由電子又はマイナスイオンを発生させる複数の物質を前記マッサージ棒の表面から突出させて埋設してなることを特徴とするマッサージ器。
【請求項２】
鉛筆と略同一の長さ及び太さを有し全長にわたり同径に形成されたチタニウム製のマッサージ棒の一端に、温度、光、電磁波及び水分のいずれかに反応して、マイナスの自由電子又はマイナスイオンを発生させる複数の物質を前記マッサージ棒の表面から突出させて埋設してなることを特徴とするマッサージ器。
【請求項３】
鉛筆と略同一の長さ及び太さを有し全長にわたり同径に形成された天然木の檜製のマッサージ棒の一端に、温度、光、電波及び水分のいずれかに反応して、マイナスの自由電子又はマイナスイオンを発生させる複数の物質を前記マッサージ棒の表面から突出させて埋設してなることを特徴とするマッサージ器。
【請求項４】
前記マッサージ棒の断面は、楕円形であることを特徴とする請求項１から請求項３に記載のマッサージ器。
【請求項５】
前記複数の物質は、前記マッサージ棒の半径方向両側に３個ずつ埋設され、一方の３個の物質の形状は夫々球状であり、他の一方の３個の物質の形状は夫々鈍角の円錐形であることを特徴とする請求項１から請求項４に記載のマッサージ器。
【請求項６】
前記物質は、ゲルマニウム又はトルマリンであることを特徴とする請求項１から請求項５に記載のマッサージ器。
【請求項７】
鉛筆と略同一の長さ及び太さを有し全長にわたり同径に形成されたマッサージ棒の一端に、複数の磁石を前記マッサージ棒の表面から突出させて埋設してなることを特徴とするマッサージ器。
【考案の詳細な説明】
【発明の詳細な説明】
【技術分野】
【０００１】  本考案は、マッサージ器に係り、特に鉛筆サイズで全長にわたり同径のマッサージ棒の一端に、マイナスの自由電子を発生させるゲルマニウム、マイナスイオンを発生させるトルマリン、磁力線を発生させる磁石等を複数埋設して、顔や首筋等の皮膚をマッサージして、表情筋を整え、フェイスラインをケアすることができ、しかもマッサージ棒を天然の檜やチタニウムにすることにより健康によい香りがして精神を安定させたり、金属アレルギーの人でも安全にかつ手軽に使用できて、使い勝手が良好なマッサージ器に関する。
【背景技術】
【０００２】  従来、顔面等の肌を軽く撫でるだけの作業で簡単に肌のケアができるマッサージ器が種々提案されており、例えば持ち手の先端に、該持ち手と直角方向の軸を中心に回転する金属製のかなり大径のローラの周囲に複数のゲルマニウム純鉱石を埋設したものがあるが、これによると、構造がかなり複雑であると共に、ローラのサイズ（直径及び長さ）、質量共かなり大きくて収納時に嵩張り、コストも相当高くつくという欠点があった。【０００３】また複数の金属製のローラを夫々偏心させたり、回転軸を傾斜させたりして本体に回動自在に枢着して、この複数のローラを肌に対して転がすことで肌に刺激を与えるようなものも提案されているが、該従来例では、構造が相当複雑で使用金属も多く、質量もかなり大きくなり、またコストも非常に高くつくという欠点があった。【０００４】またペンシルサイズといわれるものも提案されてはいるが、該従来例では、鉛筆サイズの持ち手の先端に一段太く形成された大径部分があり、この大径部分にゲルマニウムの純鉱石が埋設されて、持ち手に対して回転するようになっており、持ち手を肌に沿って動かすと、この大径部分が回転して肌の上を転がるようになっている。
このため、構造がやや複雑で、大径部分が太いため嵩張り、ケースへの収納や持ち運びの点で不利であると共に、コストも高くつくという欠点があった。【０００５】なお、本願出願人及び考案者は、本考案に係る特許文献及び非特許文献を知らないので、その記載を省略する。
【考案の開示】
【考案が解決しようとする課題】
【０００６】
【０００７】  木考案は、上記した従来技術の欠点を除くためになされたものであって、その目的とするところは、鉛筆と略同一の長さ及び太さを有し全長にわたり同径に形成されたマッサージ棒の一端に、温度、光、電磁波及び水分のいずれかに反応して、マイナスの自由電子又はマイナスイオンを発生させる複数の物質をマッサージ棒の表面から突出させて埋設することによって、従来のこの種のマッサージ器と同様の作用効果、即ち顔や首筋等の皮膚をマッサージして、表情筋を整え、フェイスラインをケアすることができる効果を有しながら、全体が鉛筆状に等径で極めてスリムに形成され、使い勝手が非常によく、しかも軽量で収納時に嵩張らず、コストも非常に安価なマッサージ器を提供することである。【０００８】また他の目的は、鉛筆と略同一の長さ及び太さを有し全長にわたり同径に形成されたチタニウム製のマッサージ棒の一端に、温度、光、電磁波及び水分のいずれかに反応して、マイナスの自由電子又はマイナスイオンを発生させる複数の物質を前記マッサージ棒の表面から突出させて埋設することによって、上記と同様の効果に加えて、マッサージ棒による金属アレルギー症状を防止できる効果があるマッサージ器を提供することである。【０００９】更に他の目的は、鉛筆と略同一の長さ及び太さを有し全長にわたり同径に形成された天然木の檜製のマッサージ棒の一端に、温度、光、電波及び水分のいずれかに反応して、マイナスの自由電子又はマイナスイオンを発生させる複数の物質を前記マッサージ棒の表面から突出させて埋設することによって、上記と同様の効果に加えて、マッサージ棒から天然の檜の香りが出て、これが使用者の鼻に作用して快適な感じを与え、森林浴をしているような雰囲気で顔等のマッサージができる効果があるマッサージ器を提供することである。【００１０】また他の目的は、マッサージ棒の断面を、楕円形とすることによって、テーブル等に置いた際に不用意に転がらないようにして、テーブルの上から落としたり、紛失したりする危険性の少ないマッサージ器を提供することである。【００１１】また他の目的は、複数の物質は、マッサージ棒の半径方向両側に３個ずつ埋設され、一方の３個の物質の形状は夫々球状であり、他の一方の３個の物質の形状は夫々鈍角の円錐形とすることによって、マッサージ棒をマッサージしながら適宜回転させることによって、球状と少し尖った感じの円錐形状の物質の肌に与える影響の違いを利用して、肌により良い刺激を与え、より大きなマッサージ効果が得られるマッサージ器を提供することである。【００１２】また他の目的は、マッサージ用に埋設される物質を、ゲルマニウム又はトルマリンとすることによって、放出されるマイナスイオン電子により細胞内の乱れたバランスを正常にもどし、皮膚細胞を活性化させ、新陳代謝を高め、健康で張りのある肌をよみがえらせるといった美肌効果が得られるマッサージ器を提供することである。【００１３】更に他の目的は、鉛筆と略同一の長さ及び太さを有し全長にわたり同径に形成されたマッサージ棒の一端に、複数の磁石を前記マッサージ棒の表面から突出させて埋設することによって、磁気の作用で、血液中の様々な成分をイオン化し、血行を改善し、新陳���謝を促進させることができるマッサージ器を提供することである。
【課題を解決するための手段】
【００１４】要するに本考案（請求項１）は、鉛筆と略同一の長さ及び太さを有し全長にわたり同径に形成されたマッサージ棒の一端に、温度、光、電磁波及び水分のいずれかに反応して、マイナスの自由電子又はマイナスイオンを発生させる複数の物質を前記マッサージ棒の表面から突出させて埋設してなることを特徴とするものである。【００１５】また本考案（請求項２）は、鉛筆と略同一の長さ及び太さを有し全長にわたり同径に形成されたチタニウム製のマッサージ棒の一端に、温度、光、電磁波及び水分のいずれかに反応して、マイナスの自由電子又はマイナスイオンを発生させる複数の物質を前記マッサージ棒の表面から突出させて埋設してなることを特徴とするものである。【００１６】また本考案（請求項３）は、鉛筆と略同一の長さ及び太さを有し全長にわたり同径に形成された天然木の檜製のマッサージ棒の一端に、温度、光、電波及び水分のいずれかに反応して、マイナスの自由電子又はマイナスイオンを発生させる複数の物質を前記マッサージ棒の表面から突出させて埋設してなることを特徴とするものである。【００１７】また本考案（請求項４）は、前記マッサージ棒の断面は、楕円形であることを特徴とするものである。【００１８】また本考案（請求項５）は、前記複数の物質は、前記マッサージ棒の半径方向両側に３個ずつ埋設され、一方の３個の物質の形状は夫々球状であり、他の一方の３個の物質の形状は夫々鈍角の円錐形であることを特徴とするものである。【００１９】また本考案（請求項６）は、前記物質は、ゲルマニウム又はトルマリンであることを特徴とするものである。【００２０】また本考案（請求項７）は、鉛筆と略同一の長さ及び太さを有し全長にわたり同径に形成されたマッサージ棒の一端に、複数の磁石を前記マッサージ棒の表面から突出させて埋設してなることを特徴とするものである。
【考案の効果】
【００２１】本考案は、上記のように鉛筆と略同一の長さ及び太さを有し全長にわたり同径に形成されたマッサージ棒の一端に、温度、光、電磁波及び水分のいずれかに反応して、マイナスの自由電子又はマイナスイオンを発生させる複数の物質をマッサージ棒の表面から突出させて埋設したので、従来のこの種のマッサージ器と同様の作用効果、即ち顔や首筋等の皮膚をマッサージして、表情筋を整え、フェイスラインをケアすることができる効果を有しながら、全体が鉛筆状に等径で極めてスリムに形成され、使い勝手が非常によく、しかも軽量で収納時に嵩張らず、コストも非常に安価なマッサージ器を提供できる効果がある。【００２２】また鉛筆と略同一の長さ及び太さを有し全長にわたり同径に形成されたチタニウム製のマッサージ棒の一端に、温度、光、電磁波及び水分のいずれかに反応して、マイナスの自由電子又はマイナスイオンを発生させる複数の物質を前記マッサージ棒の表面から突出させて埋設したので、上記と同様の効果に加えて、マッサージ棒による金属アレルギー症状を防止できる効果があるマッサージ器を提供できる効果がある。【００２３】更には、鉛筆と略同一の長さ及び太さを有し全長にわたり同径に形成された天然木の檜製のマッサージ棒の一端に、温度、光、電波及び水分のいずれかに反応して、マイナスの自由電子又はマイナスイオンを発生させる複数の物質を前記マッサージ棒の表面から突出させて埋設したので、上記と同様の効果に加えて、マッサージ棒から天然の檜の香りが出て、これが使用者の鼻に作用して快適な感じを与え、森林浴をしているような雰囲気で顔等のマッサージができる効果があるマッサージ器を提供できる効果がある。【００２４】またマッサージ棒の断面を、楕円形としたので、テーブル等に置いた際に不用意に転がらないようにして、テーブルの上から落としたり、紛失したりする危険性の少ないマッサージ器を提供できる効果がある。【００２５】また複数の物質は、マッサージ棒の半径方向両側に３個ずつ埋設され、一方の３個の物質の形状は夫々球状であり、他の一方の３個の物質の形状は夫々鈍角の円錐形としたので、マッサージ棒をマッサージしながら適宜回転させることによって、球状と少し尖った感じの円錐形状の物質の肌に与える影響の違いを利用して、肌により良い刺激を与え、より大きなマッサージ効果が得られるマッサージ器を提供できる効果がある。【００２６】またマッサージ用に埋設される物質を、ゲルマニウム又はトルマリンとしたので、放出されるマイナスイオン電子により細胞内の乱れたバランスを正常にもどし、皮膚細胞を活性化させ、新陳代謝を高め、健康で張りのある肌をよみがえらせるといった美肌効果が得られるマッサージ器を提供できる効果がある。【００２７】更には、鉛筆と略同一の長さ及び太さを有し全長にわたり同径に形成されたマッサージ棒の一端に、複数の磁石を前記マッサージ棒の表面から突出させて埋設したので、磁気の作用で、血液中の様々な成分をイオン化し、血行を改善し、新陳代謝を促進させることができるマッサージ器を提供できる効果がある。
【考案を実施するための最良の形態】
【００２８】以下本考案を図面に示す実施例に基づいて説明する。図１から図８において、本考案に係るマッサージ器１は、鉛筆と略同一の長さ及び太さを有し全長にわたり同径に形成されたマッサージ棒２の一端２ａに、温度、光、電磁波及び水分のいずれかに反応して、マイナスの自由電子又はマイナスイオンを発生させる複数の物質３（３Ａ，３Ｂ）をマッサージ棒２の表面２ｂから突出させて埋設したものである。【００２９】市販されている普通の鉛筆は、長さが略１７５ｍｍ、太さは六角形のもので、平行面間が７ｍｍ、角角間が８ｍｍ程度であり、本考案のマッサージ棒２も同様の寸法で、長さが一例として１４０ｍｍから１７０ｍｍ、太さは楕円形の長径が８ｍｍ、短径が５ｍｍ程度に設定されているので、マッサージ棒２は鉛筆と略同一の長さ及び太さを有するものである。そして全長にわたり同径に形成されており、かつ単体である。
よって従来例のように途中から一段径が太くなったり、該太くなった部分が他の部分に対して回転したりする形状や構造にはなっていない。【００３０】またマッサージ棒２の材質としては、金属アレルギーの使用者を考慮すれば、チタニウムを使用する。チタニウムは、通商「チタン」とも称され、純チタンを使用する。チタンは、銀白色の金属で、錆びにくく、軽く、熱や海水にも強く、金属アレルギーの心配も少ない優れた金属である。またチタンは、イオン化傾向が強く、人体に接地することで電流が効果的に発生し、疲労回復、痛みの緩和、運動能力の向上などの効果があると言われている。
またマッサージ棒２の他の材質としては、天然の檜を使用する。これは、天然木の檜は、もちろん金属アレルギーの問題は全くなく、その香りがよく、使用者にあたかも森林浴をしているような印象を与えると共に、手に温かくかつ柔らかい感じを与え、マッサージ器１をいつまでも使っていたい雰囲気にさせる効果があるからである。【００３１】温度、光、電磁波及び水分のいずれかに反応して、マイナスの自由電子又はマイナスイオンを発生させる複数の物質３は、図７及び図８に示すように、その形状としては、一例として２種類のものを使用し、いずれもマッサージ棒２に形成された座ぐり２ｃ、２ｄを形成し、ここに物質３Ａ，３Ｂを夫々埋設し、接着剤等（図示せず）で固定する。【００３２】物質３Ａは、その表面が球状に形成され、物質３Ｂは、その表面が円錐形に形成されている。個数は物質３Ａ，３Ｂ共３個ずつである。
このように物質３の形状を異ならせたのは、形状の違いにより肌に接した場合の物質３の肌への刺激に違いが出るようにするためである。
物質３は、楕円形の短径の頂点に物質３Ａが等間隔で３個並べて配置され、該物質３Ａから円周方向に１８０度離れたマッサージ棒２の反対側の位置に同様に楕円形の短径の頂点に等間隔で３個並べて配置されており、合計６個埋設されている。【００３３】なお、物質３のマッサージ棒２への埋設構造は、これに限定されるものではなく、物質３（３Ａ，３Ｂ）を一体に形成し、マッサージ棒２には単に穴をあけて、該穴に圧入したり接着剤で固定してもよい。
またマッサージ棒２の座ぐり２ｃ，２ｄや穴をやや大きく形成してリング（図示せず）又はケーシング（図示せず）を埋設しておいて、該リングやケーシングに物質３を圧入するようにしてもよい。【００３４】物質３の材質としては、ゲルマニウム（純度９９．９９％等）、トリマリン等が使用される。
ゲルマニウムは、３２個の電子を持つ亜金属の半導体で、温度、光、電磁波等に反応し、マイナスの自由電子が外に飛び出し、プラス電荷によりバランスを崩した筋肉や細胞を正常に整え、皮膚細胞を活性化させ、新陳代謝を高め、健康でハリのある肌をよみがえらせてくれる作用があり、効果は半永久的に続くと言われている。【００３５】トルマリンは、マイナスイオンを生成したり遠赤外線を放出する電気石である。
電気石としての性質を踏まえた加工を施すことによりマイナスイオンを発生させ、周知のようにマイナスイオンは生体に対して極めて有効に作用したり、空気そのものを浄化したりする。またマイナスイオンは、水分子と結合して、肌に浸透して肌に水分を届け、生き生きとした肌へ導く作用があると言われている。
更に、トルマリンは、ある条件、例えば圧力や摩擦等を与えることで、永久にマイナスイオンを生成し続けるので、特に肌の健康増進に役立てることができると言われている。【００３６】また物質３には、ゲルマニウムやトルマリンとは性質が異なる磁石を用いることもできる。磁石は、肌に対して摩擦しながら動かす際に発生する磁場の変化により、血中の金属イオンを活性化させ、マイナスイオンを増加させ、血行を促進させる効果があり、また洗顔では取れない磁性の汚れや埃を吸着、除去することにより、皮膚の奥まできれいにさせたり、磁力線の作用により皮膚の細胞を適度に刺激し、皮膚に活力を与え、細胞を活性化させ、若返らせる作用があると言われている。【００３７】本考案は、上記のように構成されており、以下その作用について説明する。マッサージ器１に使用されている物質３やマッサージ棒２の材質による性質や肌の健康に関する作用効果については、上記したと同様であるので、繰返しの説明は省略し、主としてマッサージ器１の使用方法と、従来例との作用効果の差異について説明する。【００３８】本考案に係るマッサージ器１のマッサージ棒２は、鉛筆と長さ及び太さが略同一であり、かつ全長にわたり等径に形成されているので、非常にスリムであり、かつ軽量、コンパクトであるから、非常に扱い易く、使い勝手が良好であり、また安価に提供できる。【００３９】使用に当たっては、マッサージ棒２の他の一端を片手の指７で持って、図９及び図１０に示すように、顔４の頬４ａや目５の下、額６、口８の回り、顎９の周辺、首筋１０等を物質３が肌に当たるようにして軽く摩擦しながら往復移動させ、まんべんなくマッサージする。
このとき、物質３の一方の表面が球状の物質３Ａを使用したり、反対に表面が円錐形状の物質３Ｂを使用したりしてその肌に対する刺激の違いを適宜利用して使用する。
これによって、肌への刺激に変化を持たせ、マッサージ効果を高めることができる。【００４０】また本考案では、マッサージ棒２にチタニウムや天然の檜を使用しているので、金属アレルギーの使用者でも安心して使用することができる。【００４１】マッサージ棒２は、その断面が楕円形に形成されているため、不使用時にテーブル等の上に置いた場合にも転がらず、落としたり紛失したりするおそれがない。
またマッサージ棒２は等径で鉛筆と略同一の長さ、太さであるから、その収納に当たっても非常に有利であり、ケースに収納しても細く収まり、軽量で嵩張らないため、携帯にも非常に便利である。
【図面の簡単な説明】
【００４２】
【図１】図面は本考案の実施例に係り、図１はマッサージ器の正面図である。
【図２】マッサージ器の底面図である。
【図３】マッサージ器の左側面図である。
【図４】マッサージ器の要部拡大正面図である。
【図５】マッサージ器の要部拡大底面図である。
【図６】マッサージ器の拡大左側面図である。
【図７】マッサージ器の要部拡大軸方向縦断面図である。
【図８】マッサージ器の要部拡大軸直角縦断面図である。
【図９】マッサージ器の使用状態を示す斜視図である。
【図１０】マッサージ器の使用状態における動きを説明する顔の正面図である。
【符号の説明】
【００４３】  １    マッサージ器
２    マッサージ棒
２ａ  一端
２ｂ  表面
２ｃ  座ぐり
２ｄ  座ぐり
３    物質
３Ａ  物質
３Ｂ  物質
４    顔
５    目
６    額
７    指
８    口
９    顎
１０    首筋
【図１】
0003149213.tif 000003
【図２】
0003149213.tif 000004
【図３】
0003149213.tif 000005
【図４】
0003149213.tif 000006
【図５】
0003149213.tif 000007
【図６】
0003149213.tif 000008
【図７】
0003149213.tif 000009
【図８】
0003149213.tif 000010
【図９】
0003149213.tif 000011
【図１０】
0003149213.tif 000012
【手続補正書】
【提出日】平成21年1月9日(2009.1.9)
【手続補正１】
【補正対象書類名】実用新案登録請求の範囲
【補正対象項目名】全文
【補正方法】変更
【補正の内容】
【実用新案登録請求の範囲】
【請求項１】
鉛筆と略同一の長さ及び太さを有し全長にわたり同径に形成されたマッサージ棒の一端に、温度、光、電磁波及び水分のいずれかに反応して、マイナスの自由電子又はマイナスイオンを発生させる複数の物質を前記マッサージ棒の表面から突出させて埋設してなることを特徴とするマッサージ器。
【請求項２】
鉛筆と略同一の長さ及び太さを有し全長にわたり同径に形成されたチタニウム製のマッサージ棒の一端に、温度、光、電磁波及び水分のいずれかに反応して、マイナスの自由電子又はマイナスイオンを発生させる複数の物質を前記マッサージ棒の表面から突出させて埋設してなることを特徴とするマッサージ器。
【請求項３】
鉛筆と略同一の長さ及び太さを有し全長にわたり同径に形成された天然木の檜製のマッサージ棒の一端に、温度、光、電波及び水分のいずれかに反応して、マイナスの自由電子又はマイナスイオンを発生させる複数の物質を前記マッサージ棒の表面から突出させて埋設してなることを特徴とするマッサージ器。
【請求項４】
前記マッサージ棒の断面は、楕円形であることを特徴とする請求項１から請求項３のいずれか１項に記載のマッサージ器。
【請求項５】
前記複数の物質は、前記マッサージ棒の半径方向両側に３個ずつ埋設され、一方の３個の物質の形状は夫々球状であり、他の一方の３個の物質の形状は夫々鈍角の円錐形であることを特徴とする請求項１から請求項４のいずれか１項に記載のマッサージ器。
【請求項６】
前記物質は、ゲルマニウム又はトルマリンであることを特徴とする請求項１から請求項５のいずれか１項に記載のマッサージ器。
【請求項７】
鉛筆と略同一の長さ及び太さを有し全長にわたり同径に形成されたマッサージ棒の一端に、複数の磁石を前記マッサージ棒の表面から突出させて埋設してなることを特徴とするマッサージ器。